(57)【特許請求の範囲】
【請求項１】
アンテナ支持杆をアンテナマストに取付けるためのアンテナマスト取付金具において，
前方側に形成され前記アンテナ支持杆を固定するための係止部と，当該係止部の後方側において前記係止部に連設された前記アンテナマストへの取付部と，からなり，前記係止部と前記取付部とが，前記係止部に前記アンテナ支持杆を取付けたときに，前記アンテナ支持杆の軸線と前記アンテナマストの軸線とが直交交差するように配設された取付アングルを備え，
前記取付アングルの取付部には，当該取付部に略直角に立設され，前記アンテナマストと当接するよう折曲形成された第１の折曲板部及び第２の折曲板部と，前記第１の折曲板部と前記第２の折曲板部との間に位置して，前記取付部の一部よりアンテナマスト側に突出成形した突出堤部と，この突出堤部の両端部に，この両端部の中央から前記取付部にかけて連通させた長孔と，が設けられ，
更に，前記長孔に前記取付部の後方側から折曲部を挿入し，連結部を前記突出堤部の内面側に組込むことで，前記突出堤部を支点とし，前記長孔に沿って少なくとも９０°回動自在となしたＵ字ボルトと，
前記Ｕ字ボルトの折曲部を両端部に挿通させると共に，前記アンテナマストに当接して，当該アンテナマストを前記取付アングルとの間で挟持する挟持片と，
前記Ｕ字ボルトの折曲部の螺子に螺合させ，前記挟持片を前記取付アングルに近接するよう締め付けるためのナットと，
を備え，
しかも，前記取付アングルの取付部において，前記各折曲板部が折曲形成される後方側には，アンテナ反射器を支持する反射器支持杆若しくは反射器エレメントが溶接にて固着されていることを特徴とするアンテナマスト取付金具。
【請求項２】
前記取付アングルの係止部は，前記アンテナ支持杆の後端側の側壁に係合可能に前記取付部から前方側に突設され，当該係止部の先端部には，前記アンテナ支持杆を取り付けた際に前記アンテナ支持杆に形成された係止孔と嵌合する爪部が立設されていることを特徴とする請求項１に記載のアンテナマスト取付金具。
【請求項３】
前記取付アングルの係止部は，前記アンテナ支持杆の外面の全周に達しない範囲で一部若しくは連続的に当接すると共に，前記係止部の長さ方向一側に開口部を形成するように屈曲形成され，少なくとも前記開口部の開口寸法は，前記アンテナ支持杆が当該アンテナ支持杆の長さ方向以外にも着脱可能に固着できる寸法から成るように形成されたことを特徴とする請求項１又は請求項２に記載のアンテナマスト取付金具。
【請求項４】
前記アンテナ支持杆の外径をＡ寸法とすると，アンテナ支持杆の長さがＡ寸法の１０〜３０倍において，前記係止部は，長手方向の寸法がＡ寸法の１〜５倍，開口部の開口寸法がＡ寸法よりやや大きく形成され，前記爪部の幅はＡ寸法の０．０４〜０．５倍，前記係止部の肉厚を含めた高さはＡ寸法の０．１５〜１倍の大きさで前記係止部の前方側端部に立設させ，前記アンテナ支持杆の係止孔はＡ寸法の０．０４〜０．５倍よりやや大きくなるように形成したことを特徴とする請求項３に記載のアンテナマスト取付金具。
【請求項５】
前記取付アングルにおいて，第１の折曲板部及び係止部は，前記取付部の上下端において夫々直角に相互に反対方向に折曲形成されたことを特徴とした請求項１〜請求項４の何れか１項に記載のアンテナマスト取付金具。
【請求項６】
請求項１〜請求項５の何れか１項に記載のアンテナマスト取付金具を備えたことを特徴とするアンテナ装置。
【発明の詳細な説明】
【技術分野】
【０００１】
本発明は，主にアンテナをアンテナマストに取付けるためのアンテナマスト取付金具の機構に関するものであり，特にアンテナを安全に組み付け可能で，コンパクトに構成できる取付金具及びこの取付金具を備えたアンテナ装置を提供することにある。
【背景技術】
【０００２】
従来のアンテナであって，特に小型のアンテナ（例えば普及型のＵＨＦ帯受信用アンテナ）では，アンテナアームをアンテナマストに直交して水平になるように取付けるために，反射器より後方にアンテナアームを延長し，当該延長部とアンテナマストとをアンテナマスト取付金具で相互に交叉するように取付ける方法が一般的に用いられている。
（例えば，特許文献１参照）
この代表例を詳しく説明する。この例によるとアンテナマスト１とアンテナアーム３との間に位置する座部材２と，上記アンテナマスト１の外面に添着される押え板部材４及び前記アンテナアーム３の外面に添着される当て板部材５と，これらの金具の両端部と前記アンテナアーム３に夫々挿通された各別の螺子棒６，６と，この螺子に螺合するナット７，７とからなり，当該ナット７，７を締着させることによって前記アンテナアーム３と前記アンテナマスト１とを夫々の金具でもって挟持し，前記アンテナアーム３と前記アンテナマストとは相互に交叉するように取付けられる構造となっていた。
（例えば，特許文献２の図１参照）
【０００３】
【特許文献１】実開昭５２−５５１４４号公報
【特許文献２】実開昭５９−１６６５０５号公報の第１図
【発明の開示】
【発明が解決しようとする課題】
【０００４】
しかし，例えば地上ディジタル放送を新たに受信しようとして，新しくアンテナを追加する場合，ベランダ等にアンテナを設置することによって簡単且つ安価に工事を行う方法が考えられる。
このようにアンテナをベランダ等に設置する場合，電界強度の強い地域においては，アンテナはコンパクトに設計された小型アンテナを用いる方が設置工事も容易であるし安価に設置できるといったメリットがある。
ところが，ベランダ等に設置する小型アンテナでは，従来のようにアンテナアーム（以下，アンテナ支持杆と呼ぶ。）をアンテナの反射器の後方側に突出させ，当該突出部とアンテナマストとが相互に交叉するように取付けられるように構成されていると，前記アンテナ支持杆の後端部が突出し，ベランダを利用するユーザーにとっては邪魔になったり危険になったりすることが考えられた。
更にベランダを利用押して取付けるようなアンテナはその取付けにおいて容易であるばかりでなく取付時や取付後の安全性が求められることになる。
また，アンテナ支持杆が長いと，工場出荷時の荷姿が大きくなるので，梱包材がたくさん必要となり，この結果，運送費が高くなるといった問題が生じると共に，延いては製品のコストが高くなるといった問題があった。
本発明は，こうした問題点を解決するためになされたものであり，その目的は，アンテナをベランダ等に容易に取り付けることができ，しかもその取付時や設置後でも安全性の高いアンテナマスト取付金具及びアンテナ装置を提供することにある。
【課題を解決するための手段】
【０００５】
かかる目的を達成するためになされた請求項１に記載の発明は，アンテナ支持杆をアンテナマストに取付けるためのアンテナマスト取付金具において，
前方側に形成され前記アンテナ支持杆を固定するための係止部と，当該係止部の後方側において前記係止部に連設された前記アンテナマストへの取付部と，からなり，前記係止部と前記取付部とが，前記係止部に前記アンテナ支持杆を取付けたときに，前記アンテナ支持杆の軸線と前記アンテナマストの軸線とが直交交差するように配設された取付アングルを備え，
前記取付アングルの取付部には，当該取付部に略直角に立設され，前記アンテナマストと当接するよう折曲形成された第１の折曲板部及び第２の折曲板部と，前記第１の折曲板部と前記第２の折曲板部との間に位置して，前記取付部の一部よりアンテナマスト側に突出成形した突出堤部と，この突出堤部の両端部に，この両端部の中央から前記取付部にかけて連通させた長孔と，が設けられ，
更に，前記長孔に前記取付部の後方側から折曲部を挿入し，連結部を前記突出堤部の内面側に組込むことで，前記突出堤部を支点とし，前記長孔に沿って少なくとも９０°回動自在となしたＵ字ボルトと，
前記Ｕ字ボルトの折曲部を両端部に挿通させると共に，前記アンテナマストに当接して，当該アンテナマストを前記取付アングルとの間で挟持する挟持片と，
前記Ｕ字ボルトの折曲部の螺子に螺合させ，前記挟持片を前記取付アングルに近接するよう締め付けるためのナットと，
を備え，
しかも，前記取付アングルの取付部において，前記各折曲板部が折曲形成される後方側には，アンテナ反射器を支持する反射器支持杆若しくは反射器エレメントが溶接にて固着されていることを特徴とするアンテナマスト取付金具。
【０００６】
また，請求項２に記載の発明は，請求項１に記載のアンテナマスト取付金具において，前記取付アングルの係止部は，前記アンテナ支持杆の後端側の側壁に係合可能に前記取付部から前方側に突設され，当該係止部の先端部には，前記アンテナ支持杆を取り付けた際に前記アンテナ支持杆に形成された係止孔と嵌合する爪部が立設されていることを特徴とする。
【００１０】
次に，請求項３に記載の発明は，請求項１又は請求項２に記載のアンテナマスト取付金具において，前記取付アングルの係止部は，前記アンテナ支持杆の外面の全周に達しない範囲で一部若しくは連続的に当接すると共に，前記係止部の長さ方向一側に開口部を形成するように屈曲形成され，少なくとも前記開口部の開口寸法は，前記アンテナ支持杆が当該アンテナ支持杆の長さ方向以外にも着脱可能に固着できる寸法から成るように形成されたことを特徴とする。
【００１２】
また，請求項４に記載の発明は，請求項３に記載のアンテナマスト取付金具において，前記アンテナ支持杆の外径をＡ寸法とすると，アンテナ支持杆の長さがＡ寸法の１０〜３０倍において，前記係止部は，長手方向の寸法がＡ寸法の１〜５倍，開口部の開口寸法がＡ寸法よりやや大きく形成され，前記爪部の幅はＡ寸法の０．０４〜０．５倍，前記係止部の肉厚を含めた高さはＡ寸法の０．１５〜１倍の大きさで前記係止部の前方側端部に立設させ，前記アンテナ支持杆の係止孔はＡ寸法の０．０４〜０．５倍よりやや大きくなるように形成したことを特徴とする。
【００１３】
また，請求項５に記載の発明は，請求項１〜請求項４の何れか１項に記載のアンテナマスト取付金具において，前記取付アングルが備えた，第１の折曲板部及び係止部は，前記取付部の上下端において夫々直角に相互に反対方向に折曲形成されていることを特徴とする。
【００１４】
一方，請求項６に記載の発明は，アンテナ装置に関する発明であり，請求項１〜請求項５の何れか１項に記載のアンテナマスト取付装置を備えたことを特徴とする。
【発明の効果】
【００１５】
上記のように請求項１に記載のアンテナマスト取付金具には，前方側に形成され前記アンテナ支持杆を固定するための係止部と，当該係止部の後方側において，前記係止部に連設された前記アンテナマストへの取付部と，からなる取付アングルが備えられている。
また，取付アングルにおいて，係止部と取付部とは，係止部にアンテナ支持杆を取付けたときに，アンテナ支持杆の軸線とアンテナマストの軸線とが直交交差するように配設されている。
そして，この取付アングルの取付部には，当該取付部に略直角に立設され，前記アンテナマストと当接するよう折曲形成された第１の折曲板部及び第２の折曲板部と，前記第１の折曲板部と前記第２の折曲板部との間に位置して，前記取付部の一部よりアンテナマスト側に突出成形した突出堤部と，この突出堤部の両端部に，この両端部の中央から前記取付部にかけて連通させた長孔とが形成されている。
また，取付アングルの取付部には，前記長孔に前記取付部の後方側から折曲部を挿入し，連結部を前記突出堤部の内面側に組込むことで，前記突出堤部を支点とし，前記長孔に沿って少なくとも９０°回動自在となしたＵ字ボルトが設けられている。
また，アンテナマスト取付金具には，このＵ字ボルトの折曲部を両端部に挿通させると共に，前記アンテナマストに当接して，当該アンテナマストを前記取付アングルとの間で挟持する挟持片と，前記Ｕ字ボルトの折曲部の螺子に螺合させ，前記挟持片を前記取付アングルに近接するよう締め付けるためのナットとが備えられている。
そして，取付アングルの取付部において，前記各折曲板部が折曲形成される後方側には，アンテナ反射器を支持する反射器支持杆若しくは反射器エレメントが溶接にて固着されている。
このため，本発明によれば，小型で且つ少ない部品で取付性及びコストの安価なアンテナマスト取付金具が提供できる。またこの取付金具によれば前記アンテナ支持杆が短く構成されて，当該アンテナ支持杆と前記アンテナマストが相互に交叉するように取付けられることが無く，前記アンテナ支持杆の後端部がベランダ側に突出し，ベランダを利用するユーザーにとっては邪魔になったり危険になったりすることのない安全性の高いアンテナマスト取付金具を提供できる。
また，アンテナ支持杆の軸線とアンテナマストの軸線とが直交交差するように配設されるので，アンテナがアンテナマストに対して水平方向に正しく取付可能となって，電波到来方向に対してアンテナの特性が最も良い状態で受信できるアンテナマスト取付金具を提供できる。
また，アンテナ反射器を支持する反射器支持杆若しくは反射器エレメントは，取付アングルの取付部の後方側に，溶接にて固着されることから，ユーザーにとって組み立て及び設置がし易いアンテナ取付金具を提供できる。また，取付アングルは反射器が形成する平面から突出している寸法が僅かであるため，予め固着したとしても梱包状態における荷姿にあまり影響を与えることがないので，コスト削減，製品単価の低減が実現できるアンテナマスト取付金具が提供できる。
【００１６】
請求項２の発明によれば，取付アングルの係止部が，アンテナ支持杆の後端側の側壁に係合可能に取付部から前方側に突設されており，その先端部には，アンテナ支持杆を取り付けた際にアンテナ支持杆に形成された係止孔と嵌合する爪部が立設されていることから，係止部とアンテナ支持杆との固着手段の操作時や，取付後に万が一固着手段等が緩んだ時におけるアンテナ支持杆（つまりはアンテナ装置）の落下防止に対する安全対策の優れた取付金具を提供できると共に，アーム取付時の位置決め，固着手段の作業を確実にできるといった取扱性の良いアンテナマスト取付金具を提供できる。
【００２０】
請求項３に記載のアンテナマスト取付金具によれば，前記取付アングルの係止部は，前記アンテナ支持杆の外面の全周に達しない範囲で一部若しくは連続的に当接すると共に，前記係止部の長さ方向一側に開口部を形成するように屈曲形成され，少なくとも前記開口部の開口寸法は，前記アンテナ支持杆が当該アンテナ支持杆の長さ方向以外にも着脱可能に固着できる寸法から成るように形成されているので，係止部がアンテナ支持杆の全周を覆うような構成ではなくなり，アンテナ支持杆の取付方向が軸線方向の一方向に限定されること無く，例えば下方向からでも取付け可能な組立性の良いアンテナマスト取付金具を提供できる。また，これによって小型で且つ軽量なアンテナマスト取付金具が提供できる。更に係止部の形状は屈曲形成されることにより，係止部の強度を更に向上させた信頼性の高いアンテナマスト取付金具を提供できる。
【００２２】
請求項４に記載のアンテナマスト取付金具によれば，前記アンテナ支持杆の外径をＡ寸法とすると，アンテナ支持杆の長さがＡ寸法の１０〜３０倍において，前記係止部は，長手方向の寸法がＡ寸法の１〜５倍，開口部の開口寸法がＡ寸法よりやや大きく形成され，前記爪部の幅はＡ寸法の０．０４〜０．５倍，前記係止部の肉厚を含めた高さはＡ寸法の０．１５〜１倍の大きさで前記係止部の前方側端部に立設させ，前記アンテナ支持杆の係止孔はＡ寸法の０．０４〜０．５倍よりやや大きくなるように形成したので，前記係止部は小型に形成することによって前記アンテナ支持杆の全周を覆わなくともアンテナ装置を十分な強度で持って保持できる。
また係止部に備えた爪部寸法は，当該爪部に対応したアンテナ支持杆に備えた係止孔が，前記アンテナ支持杆の強度を著しく劣化させること無く，実用に充分な強度を有したアンテナ支持杆を提供することができる寸法であり，この爪部と係止孔とによって，信頼性の高いアンテナマスト取付金具を提供できる。
【００２３】
請求項５に記載のアンテナマスト取付金具によれば，前記取付アングルに備えた，第１の折曲板部及び係止部は，前記取付部の上下端において夫々直角に相互に反対方向に折曲形成されているので，夫々溶接等で固着する必要が無く，プレス成形によって一体的に成形できることから，安価で且つ強度の高いアンテナマスト取付金具を提供できる。
【００２４】
請求項６に記載のアンテナ装置によれば，請求項１〜請求項５の何れかに記載のアンテナマスト取付金具を備えているので，取付性が良くしかも安全に取り付けできる。また，アンテナ支持杆を短く構成することができることから工場出荷時の荷姿が小さくなり，これによって梱包材の材料が少なく，寸法形状を小さくすることになり，この結果，運送費が安くなり延いては製品のコストを低減することができるアンテナ装置を提供できる。
【発明を実施するための最良の形態】
【００２５】
以下に，本発明を具体化した実施形態の例を，図面を基に詳細に説明する。
図１本願の第１の実施例を示す分解斜視図である。図２（ａ）は正面から見た図であり,（ｂ）は背面から見た図である。図３は図２（ａ）におけるＡ−Ａ線断面図である。図４はアンテナ支持杆の取付手順を示す。図５（ａ）に取付状態の側面から見た要部断面図と，（ｂ）にこのときの上面から見た図を示す。図６に本発明の取付アングルの他の実施例を示す。図７は係止部とアンテナ支持杆の形状の異なる例を示す。
【実施例１】
【００２６】
本願の発明は，図１,図２，図３に示す取付アングル１０と挟持片３０とから構成される。尚，以降の説明において方向を示す場合は，アンテナの取付方向を前方側として上側，下側，後方側を示す。
取付アングル１０は金属製材料等の剛性を有する材料で折曲形成されており，前方側に形成した係止部１１とこの係止部１１の後方側において連設された取付部１２とから形成されている。
この係止部１１は前記取付部１２から前方向に連設されており，断面略半月状に形成された湾曲部１３と湾曲部１３の両端部に連設された平板部１４とから成る。
この湾曲部１３の内側面，即ち下側にはアンテナのアーム２の後端部が取付けられるように，アーム２の外周面の曲率に合わせて湾曲形成してある。この係止部１１の湾曲部１３は，前記アンテナ支持杆の外面の全周に達しない範囲で一部若しくは連続的に当接すると共に，前記係止部１１の長さ方向一側に開口部を形成するように屈曲形成され，少なくとも前記開口部の開口寸法は，前記アンテナ支持杆が当該アンテナ支持杆の長さ方向以外にも着脱可能に固着できる寸法から成るように形成されている。即ちこの開口寸法は，アンテナ支持杆の周径よりやや大きいか小さくなるように形成されている。
【００２７】
更に湾曲部１３の前方向端部には略中央に湾曲部１３の内方向に切起した爪部１３ａが一体的に折曲形成されている。またアーム２には前記爪部１３ａと相対向する位置に係止孔２ａが形成されており，係止部１１の湾曲面１３にアーム２を取付ける時に，前記爪部１３ａを前記係止孔２ａに挿通さえながら取付けるように構成されている。
また，この係止部１１には少なくとも１つの挿通孔１１ａ（本願の実施例ではダルマ孔）が形成されており，加えて前記アーム２にもこの挿通孔１１ａと相対向する位置にアーム２を貫通する貫通孔２ｂを備えさせて，前記係止部１１と前記アーム２との挿通孔に螺子棒１５を挿通させて，この螺子にナット１６を螺合することによって係止部１１とアーム２を固着するように構成されている。
尚，前記平板部１４は係止部の強度を高めるためのものである。
【００２８】
次に取付部について説明する。この取付部１２は略５角形をしており，この取付部１２の下部に前記係止部１１が直交するように一体的に折曲形成されている。尚，この取付部１２の左右の両端部に切起部を前方方向に一体的に折曲形成させた補強部１２ａを備えることで取付部１２の強度を高めるように形成しても良い。
更に取付部１２の上端には，前記アンテナマストに当接させるための第１の折曲板部が前記取付部に立設するよう折曲形成されている。また，この第１の折曲板部の略中央部には，前記アンテナマストを受け入れる当接凹部２１ａが形成されている。
【００２９】
更に，前記取付部１２の中間位置には，当該取付部を折曲形成した第２の折曲板部２２がアンテナマストに当接するように切起して形成されており，この第２の折曲板部の略中央部には，アンテナマストを受け入れる当接凹部２２ａが形成されている。
【００３０】
更に，前記第１の折曲板部２１と前記第２の折曲板部２２との間には，アンテナマスト側に突出成形した突出堤部２３が形成されている。この突出堤部２３は両端部に，この両端部の略中央から上方に向かって前記取付部にかけて連通させた長孔２３ａ，２３ａが形成されている。
この長孔２３ａ，２３ａは貫通孔であり，当該長孔にはＵ字ボルト２４の折曲部２４ａ，２４ａを，前記取付部１２の前方向側から挿通させ，前記突出堤部２３の内面には，前記Ｕ字ボルト２４の連結部２４ｂを収納するように構成されている。
【００３１】
このように係止部１１と取付部１２とからなる取付アングル１０について更に説明する。
この取付アングル１１の取付部１２は，本願においては反射器３の反射器エレメント３ｂ，３ｂ，３ｂに溶接等の固着手段で持って取付けられている。また，反射器エレメント３ｂの替わりに反射器エレメント３ｂを保持する反射器支持杆３ａに固着させても良い。
尚，上記実施例に示すように取付部１２と，反射器支持杆３ａ若しくは反射器エレメント３ｂとを溶接等で固着する方法だけでなく，反射器３と取付部１２とが着脱自在に固着する方法でも良い事は言うまでもない。
また，本願の実施例では前記第１の折曲板部２１及び係止部１１は，前記取付部１２の上下端において夫々直角に相互に反対方向に折曲形成されている例を示したが，この実施例に限定されるものではなく，取付部２１の任意の位置に形成しても良いことはいうまでも無い。この場合，係止部１１は取付部２１に溶接等の取付手段によって取付けても良い。  また，本願の実施例では第１の折曲板部及び第２の折曲板部を形成した例を示したが，取付部２１の大きさに合わせて２ヶ所以上設けても良く実施例に限定されるものではない。
【００３２】
次に，挟持片３０について説明する。
この挟持片３０は金属性材料等の剛性を有した材料を断面略コ字状に折曲形成されており，その両端部には挿通孔３２，３２が備えられている。
本願の実施例では挿通孔３２の一方は，挟持片３０の短径の端部から連設された長孔に形成されており，他方は前記一方の長孔と同一方向に形成された長孔に形成されている。
この挿通孔３２，３２は，前記取付部１２の突出堤部２３に設けた長孔２３ａ，２３ａに挿通させた前記Ｕ字ボルト２４の折曲部２４ａ，２４ａの軸線と同一軸線上になるように配設されている。
また挟持片の略中央にはアンテナマスト８を受け入れて当接するための湾曲部３１（上側湾曲部３１ａ，下側湾曲部３１ｂ）が形成されており，前記取付部１２を構成する第１及び第２の折曲板部２１，２２の当接凹部２１ａ，２２ａとでもって前記アンテナマスト８を挟持する。なお，このようにアンテナマスト８を挟持するには，Ｕ字ボルト２４の折曲部２４ａ，２４ａに形成した螺子にナット２５，２５を螺合させて締め付けるようにすればよい。
【００３３】
このように組み立てられたアンテナマスト取付金具について更に詳しく説明する。前記取付部に突出成形した突出堤部２３に備えた長孔２３ａ，２３ａは，前記突出堤部２３の軸線を中心軸として，前記突出堤部の略中央から上方に向かって前記取付部１２に達するように形成させてあることから，前記Ｕ字ボルト２４の折曲部２４ａは，前記長孔の長さ方向に沿って，前記Ｕ字ボルト２４の連結部２４ｂの軸線を中心軸として，少なくとも９０°回転自在となるように構成されている。つまりはアンテナマスト８に取付けた状態においては，前記挟持片３０と取付部１２とアンテナマストを挟持する位置に配設され，例えば製品の出荷時のように，アンテナマスト８に取付けていない状態においては，例えば前記挟持片が，前記取付部１２がなす平面方向にＵ字ボルト２４を回動させることによって，本願のアンテナマスト取付金具の外形がコンパクトに構成でき，梱包材への収納が容易になると共に，小型化による梱包材のコスト削減が可能となる。
尚，本願の実施例では，Ｕ字ボルト２４が略水平方向から上方に向かって少なくとも９０°回転自在となるように構成したが，これはアンテナマスト８への取付時に，Ｕ字ボルトがほぼ水平方向となるように位置させることができるので，アンテナマスト８への取付けを容易とするためであるが，これに限定されるものではなくＵ字ボルトが水平方向から上側にも下側にも略１８０°回動自在となるように，長孔を形成しても良い。
【００３４】
ここでアーム２を係止部１３に取付ける手順について図４を用いて説明する。先ず（ａ）に示すように，湾曲部１３に形成された挿通孔１１ａの大径孔と，アーム２の貫通孔２ｂにナット１６によって上下方向に移動自在に螺着された螺子棒１５の螺子頭とを対向配置させる。次に（ｂ）に示す如く螺子棒１５を上方向に押し上げて螺子頭を挿通孔１１ａに挿通させる。このように挿通させたなら（ｃ）に示す如くアーム２を後方（図において左方）に移動させて，螺子軸を小径孔に嵌合させると共に，爪部１３ａがアーム２に形成された係止孔２ａに挿入されるように取付ける。この状態において（ｄ）のようにナット１６を螺子棒１５に螺合させて係止部１１にアーム２を固着する。
こうして爪部１３ａと係止孔２ａとの係合と，更に加えて挿通孔１１ａの大径孔と小径孔との連設部分には突起部１１ｂを形成させることによって，ナット締め作業時や螺子棒が緩んだ時におけるアンテナ装置の落下防止に対する二重の安全対策がなされていると共に，アーム取付時の位置決め，螺子棒を確実に固定できるといった取付性のよい構成となっている。
図５に係止部にアンテナ支持杆を取付けた時の状態を示す。（ａ）は取付状態の側面から見た要部断面図であり，（ｂ）はこのときの上面から見た図を示す。
尚，本願の実施例によれば爪部１３ａは係止部１３の前方端部に一つ立設させているが，この実施例に限定されるものでなく，爪部を複数設けても良いし，その配置も係止部の任意の位置でも良いことは言うまでもない。また，爪部１３ａは係止部に対して直交させて一体的に形成され無くても良く，特に直交させることに限定されるものでなく，例えば図にも示したように，係止部１３の端部からやや前方に傾かせて形成することによって，アンテナ支持杆の取付状態において，前記爪部の前方側面の一部が前記係止孔の孔端に当接するように構成するようにしても良いし，更に爪部１３ａの先端部を前方向に折り返したように形成して，アンテナ支持杆の取付状態において，この折り返し部分が係止孔の内側近傍の内壁と係合するようにしても良いなど，実施例に限定されるものではない。
【００３５】
ここで各部の具体的な寸法を示すと，前記アンテナ支持杆の外径をＡ寸法とすると，アンテナ支持杆の長さがＡ寸法の１０〜３０倍において，前記係止部１１は，長手方向の寸法がＡ寸法の１〜５倍，開口部の開口寸法がＡ寸法よりやや大きく形成され，前記爪部の幅はＡ寸法の０．０４〜０．５倍，前記係止部の肉厚を含めた高さはＡ寸法の０．１５〜１倍の大きさで前記係止部の前方側端部に立設させ，前記アンテナ支持杆の係止孔はＡ寸法の０．０４〜０．５倍よりやや大きくなるように形成る。
例えばアンテナ支持杆が２２ｍｍとすると，２２０〜６６０ｍｍのアンテナ支持杆の場合，係止部１１の長さは２２〜１１０ｍｍ，係止部の開口寸法は２２ｍｍよりやや大きく形成され，爪部１３ａの幅は０．８８〜１１ｍｍ，前記係止部の肉厚を含めた高さは前記係止部の肉厚を含めて３．３〜２２ｍｍとなり，これに対応する係止孔の径は０．８８〜１１ｍｍよりやや大きくなるように形成される。
実験的にはアンテナ支持杆の太さは２２ｍｍ，長さは４００ｍｍであり，係止部の長さは４５ｍｍ，爪部の幅は５ｍｍ，爪部の高さは６．５ｍｍであり，係止孔の径は６ｍｍである。
尚，本発明の実施例では係止部１１に湾曲部１３を設けた例を示しているが，この実施例に限定されるものではなく，図７（ａ），（ｂ），（ｄ），（ｅ）に示す如く，係止部の形状を断面略コ字状に形成しても良い。この場合，アンテナ支持杆は略四角形の場合にも，円形の場合にも対応可能である。また図７（ｃ），（ｆ）に示す如く，係止部の形状を断面略く字状に形成してもよい。この場合においてもアンテナ支持杆は，四角形及び円形の場合に対応可能である。
【００３６】
図６（ａ），（ｂ）に取付アングル１０の異なる実施例を示す。この実施例は係止部１１の湾曲部１３が上方に向かって開口するように構成されたものである。この実施例ではアンテナ支持杆２は係止部１１上方から湾曲部に載置されて，上述の実施例と同様に螺子棒１５とナット１６とで固着されるのである。このときアンテナ支持杆２の後端部は，取付部１２の一部を切り起した係止片１２ｃと係止部１１との間に係合すると共に，当該係止部１１の先端部に形成した爪部１３ａがアンテナ支持杆２に設けた係止孔２ａに挿入されることによって，アンテナ支持杆２の取付時に落下の危険等のない安定的な取付ができる。更には挿通孔１１ａに設けた突起部１１ｂによって螺子棒が緩み難い構成となっており，信頼性の高い構成となっている。
【００３７】
このように本願の実施例によれば，アンテナ反射器３を前記取付アングル１０とアンテナマスト８，少なくとも前記取付アングル１０が前記アンテナ反射器の支持杆３ａもしくは反射器を構成するエレメント３ｂに固着されることによって，前記取付アングル１０の前方側の係止部１１を，前記アンテナ支持杆２の後端部外面に取付けたときに，前記アンテナ支持杆２の軸線と前記アンテナマスト８の軸線とが直交交差するように配設されることになり，少なくとも前記アンテナ支持杆２の後端部はアンテナマスト８より前方側になるように配設されるので，前記アンテナ支持杆２と前記アンテナマスト８が相互に交叉するような位置に取付けられることが無く，前記アンテナ支持杆２の後端部がベランダ側に突出することが無く，ベランダを利用するユーザーにとっては邪魔になったり危険になったりすることのないアンテナマスト取付金具及び当該アンテナ取付金具を備えたアンテナ装置を提供できるのである。
また，アンテナ支持杆２を短く構成できることから，工場出荷時の荷姿が小さくなるので，言うまでもなく梱包材の材料が少なく，寸法形状を小さくすることになり，この結果，運送費が安くなり延いては製品のコストを低減することができるアンテナマスト取付金具及び当該アンテナマスト取付金具を備えたアンテナ装置を提供できるのである。
尚，本発明は上記実施の形態に限定されるものではなく，例えば挟持片は中央部を屈曲形成させた構成としても良い。また反射器支持杆の替わりに反射器エレメントに取付アングルを固着しても良いなど，本発明の趣旨を逸脱しない範囲で各部の構成を適宜に変更して実施することも可能である。
【図面の簡単な説明】
【００３８】
【図１】本願の第１の実施例を示す分解斜視図である。
【図２】本願の第１実施例の（ａ）は正面から見た図であり,（ｂ）は背面から見た図である。
【図３】図２（ａ）におけるＡ−Ａ線断面図である。
【図４】アンテナ支持杆の取付手順を示す。
【図５】（ａ）に取付状態の側面から見た要部断面図と，（ｂ）にこのときの上面から見た図を示す。
【図６】本発明の取付アングルの他の実施例を示す。
【図７】は係止部とアンテナ支持杆の形状の異なる例を示す。
【符号の説明】
【００３９】
２…アンテナ支持杆，２ａ…係止孔，２ｂ…貫通孔，３…反射器，３ａ…反射器支持杆，３ｂ…反射エレメント，８…アンテナマスト，１０…取付アングル，１１…係止部，１１ａ…挿通孔，１１ｂ…突起部，１２…取付部，１２ａ…補強部，１３…湾曲部，１３ａ…爪部，１４…平板部，１５…螺子棒，１６…ナット，
２１…第１の折曲板部，２１ａ…当接凹部，２２…第２の折曲板部，２２ａ…当接凹部，２３…突出堤部，２３ａ…長孔，２４…Ｕ字ボルト，２４ａ…折曲部，２４ｂ…連結部，
２５…ナット，３１…湾曲部，３２…挿通孔
【図１】
0004740552.tif 000002
【図２】
0004740552.tif 000003
【図３】
0004740552.tif 000004
【図４】
0004740552.tif 000005
【図５】
0004740552.tif 000006
【図６】
0004740552.tif 000007
【図７】
0004740552.tif 000008